(57)【要約】【課題】  重量の重い重心位置設定用ウエイトの取付けによって、使用者の個性に適した重心位置の設定を容易にしたものでありながら、ゴルフクラブヘッドの全体重量を軽減して使用性の向上が図れるようにしたウッド形ゴルフクラブヘッド提供する。【解決手段】  ウッド形ゴルフクラブヘッド１は、ドライバーのゴルフクラブヘッドであって、ステンレス系またはチタニウム系合金製でなり、フェース部４と、ソール部５、バックサイド部６およびシャフト７の取付部であるホーゼル部８を有するクラウン部９などを備えており、これらは各別に設けられて互いに隣り合う境界部１１を溶接によって互いに接合してある。そして、フェース部４、ソール部５、バックサイド部６およびラウン部９などが多数の透孔１２，１２…を形成した、たとえばパンチングメタルと称される網状金属１３によって構成されている。【選択図】        図１３
2005230472.tif 000002
【特許請求の範囲】
【請求項１】
中空殻体構造のウッド形ゴルフクラブヘッドにおいて、前記ウッド形ゴルフクラブヘッド本体の全部又は一部が多数の透孔を形成した網状金属によって構成されていることを特徴とするウッド形ゴルフクラブヘッド。
【請求項２】
請求項１に記載のウッド形ゴルフクラブヘッドにおいて、
上記ウッド形ゴルフクラブヘッド本体がフェース部、ソール部、バックサイド部およびシャフトの取付部であるホーゼル部を有するクラウン部の各別に設けられているとともに、前記フェース部、ソール部、バックサイド部およびクラウン部のそれぞれの隣り合う境界部が溶接によって互いに接合されていることを特徴とするウッド形ゴルフクラブヘッド。
【請求項３】
請求項１または請求項２に記載のウッド形ゴルフクラブヘッドにおいて、
上記ウッド形ゴルフクラブヘッド本体の外表面がシート材により被着されていることを特徴とするウッド形ゴルフクラブヘッド。
【発明の詳細な説明】
【技術分野】
【０００１】
本発明は、ウッド形ゴルフクラブヘッドに係り、このウッド形ゴルフクラブヘッドの重量の軽量化を可能にしたもので、このウッド形ゴルフクラブヘッドの重量の軽量化を図ることにより、特に、重量の重い重心位置設定用ウエイトの取付けが可能となり、使用者の個性に適した重心位置の設定を容易にしたものでありながら、トータル重量を軽減して使用性の向上を図ることのできるように工夫したウッド形ゴルフクラブヘッドに関する。
【背景技術】
【０００２】
近年、ウッド形ゴルフクラブヘッドは、ゴルフクラブヘッドの芯を多少外してもゴルフボールを遠くに、かつ、左右への曲が少なく安定した球筋が出せるようゴルフクラブヘッドのスイートスポットを出来るだけ大きくするために、ゴルフクラブヘッドの体積を出来るだけ大きくすること、即ち、ゴルフクラブヘッドの大型化が求められている。
【０００３】
しかし、ゴルフクラブヘッドの体積を大きくしようとする場合、必然的にその重量も大きくなる。非力である一般的なゴルファにとって、如何にゴルフクラブヘッドの芯を多少外してもゴルフボールを遠くに、かつ、左右への曲が少なく安定した球筋が出せるようなゴルフクラブであったとしても、ゴルフクラブヘッドが重くてそのゴルフクラブをうまく振りきることができない。
そこで、ゴルフクラブヘッドの体積を大きくしても、その重量が重くならないように、ラブヘッドを形成している素材をより軽い素材、たとえば、チタニウム系合金などを使用するか、またゴルフクラブヘッドを形成している構成部材の肉厚を薄くするなどの改良をすることにより、上記欠点を解消しようとするものであった。
【０００４】
また、ゴルフクラブヘッドでは、使用性を向上させる要件の一つとして、重心の位置を使用者の成熟度に合ったマッチングポイントまたはその近傍に設定することが挙げられる。
この重心位置設定のためのファクターとしては、１．重心高、２．重心深度、３．重心距離、４．重心角などの四つを挙げることができ、これら四つのファクターが複合的に影響し合うことで、使用者の成熟度に合った異なる重心の位置をマッチングポイントまたはその近傍に設定して、使用性を向上させることができる。因みに、前記１の重心高とは、ソール部からフェース面上の重心位置までの距離、前記２の重心深度とは、フェースからソール面上の重心位置までの距離、前記３の重心距離とは、シャフトの中心線とフェース上の重心位置を垂直に結んだ距離、前記４の重心角とは、シャフトの延長上とゴルフクラブヘッドの重心との間にできる角度のことである。
【０００５】
従来、この種のウッド形ゴルフクラブヘッドとしては、図１４、図１５に示すゴルフクラブヘッド２１が提案されている（たとえば、特許文献１）。
このゴルフクラブヘッド２１は、ドライバーのゴルフクラブヘッドであって、たとえば前端に開放部２２を有する中空殻体構造体２３であって、フェース部２４と、ソール部２５、バックサイド部２６およびシャフト２７の取付部であるホーゼル部２８を有するクラウン部２９などを備え、フェース部２４はこの中空殻体構造体２３に溶接などによって接合されて開放部２２を閉塞しており、これらはステンレス系合金製またはチタニウム系合金製の無透孔金属板によって構成されている。
【０００６】
また、前記特許文献１に記載されているゴルフクラブヘッドでは、中空殻体構造体２３の内面にステンレス系合金もしくはチタニウム系合金よりも比重の大きい銅合金製またはタングステン合金製で、重さ１５ｇｆ（０．１４７Ｎ）の重心位置設定用ウエイト１００をクラウン部２９の内面適所に溶着して、重心の位置を使用者のマッチングポイントまたはその近傍に設定して販売するようにしている。
【０００７】
【特許文献１】特開２００２−１１３１３５号公報
【発明の開示】
【発明が解決しようとする課題】
【０００８】
ところが、従来のウッド形ゴルフクラブヘッド２１では、その中空殻体構造体２３がステンレス系合金製またはチタニウム合金製の無透孔金属板からなる中空殻体構造として構成するものであることから、素材をより軽い素材を使用したり、フェース部２４やソール部２５やバックサイド部２６などの構成部材の肉厚を薄くするなどの改良しても、自ずと限界があり、ゴルフクラブヘッド２１の重量を飛躍的に軽量化することはできなかった。
【０００９】
また、軽量の重心位置設定用ウエイト１００の溶着によって重心位置を使用者のマッチングポイントまたはその近傍に設定するためには、ゴルフクラブヘッド２１本来の重心位置から軽量の重心位置設定用ウエイト１００の溶着位置までの距離を大きく確保しなければならない。したがって、中空殻体構造体２３を構成しているフェース部２４、ソール部２５、バックサイド部２６およびクラウン部２９などの寸法上の制約により、重心位置を使用者のマッチングポイントまたはその近傍に設定し得ない場合が起こり得る可能性を有している。
【００１０】
一方、前記寸法上の制約を解消して、中空殻体構造体２３を構成しているフェース部２４、ソール部２５、バックサイド部２６およびクラウン部２９などの寸法を大きくすることで、ゴルフクラブヘッド２１本来の重心位置から軽量の重心位置設定用ウエイト１００の溶着位置までの距離を大きく稼ぐことはできる。しかし、ゴルフクラブヘッド２１の重量が一層重くなって軽量化を妨げることになるので、ゴルフクラブヘッド２１の大型化を採用することができない。
【００１１】
本発明は、このような問題を解決するものであって、その目的とするところは、ゴルフクラブヘッドの体積を出来るだけ大きくすること、即ち、ゴルフクラブヘッドを大型にしても、その重量が大きくならず、非力な一般的ゴルファがゴルフクラブヘッドの芯を多少外してもゴルフボールを遠くに、かつ、左右への曲が少なく安定した球筋が出せるようゴルフクラブを提供するものであり、また、ゴルフクラブヘッドの重量を飛躍的に軽量化したことから、重量の重い重心位置設定用ウエイトの取付けても、従来のゴルフクラブヘッドの重量と変わらず、ゴルフクラブヘッドの軽量化を妨げる要素とならないで取付が可能であり、使用者の個性に適した重心位置の設定を容易にしたものでありながら、ゴルフクラブヘッドの全体重量を軽減して使用性の向上が図ることのできるようにしたウッド形ゴルフクラブヘッドを提供することにある。
【課題を解決するための手段】
【００１２】
前記目的を達成するために、請求項１に記載の発明に係るウッド形ゴルフクラブヘッドは、中空殻体構造のウッド形ゴルフクラブヘッドにおいて、前記ウッド形ゴルフクラブヘッド本体の全部又は一部が多数の透孔を形成した網状金属によって構成されているものである。
【００１３】
本発明によれば、無透孔金属板からなる中空殻体構造のウッド形ゴルフクラブヘッドと同体積であれば、前記ウッド形ゴルフクラブヘッド本体の全部又は一部に多数の透孔が形成されていることによって、ゴルフクラブヘッドの重量が大幅に軽減される。このため、ゴルフクラブヘッドの体積を出来るだけ大きくすること、即ち、ゴルフクラブヘッドを大型にしても、その重量が大きくならない。その結果、慣性モーメントおよび重心の深さを大きくし、ボールの飛距離を大くするとともに、コントロール性をよくすることができる。
また、重量の重い重心位置設定用ウエイトを取付けても、ゴルフクラブヘッド全体重量を従来の無透孔金属板からなる中空殻体構造のゴルフクラブヘッドよりも軽く抑えて、使用性を向上させることができる。さらに、重量の重い重心位置設定用ウエイトの取付けによって重心位置を使用者のマッチングポイントまたはその近傍に設定することができることにより、ゴルフクラブヘッド本来の重心位置から重心位置設定用ウエイトの取付位置までの距離を短縮できるので、寸法上の制約を受けることなく、使用者の個性に適した重心位置の設定を容易に行うことができる。
【００１４】
また、ウッド形ゴルフクラブヘッド本体をフェース部、ソール部、バックサイド部およびシャフトの取付部であるホーゼル部を有するクラウン部の各別に設けて、前記フェース部、ソール部、バックサイド部およびクラウン部のそれぞれの隣り合う境界部を溶接によって互いに接合することが好ましい。これによると、ゴルフクラブヘッドの内部の望ましい位置に前記重心位置設定用ウエイトを容易に取付けることができる。
【００１５】
また、ウッド形ゴルフクラブヘッド本体の外表面がシート材により被着されていることが好ましい。これによると、水や土砂などが中空殻体構造のゴルフクラブヘッド内部に侵入するのを防止する事ができるとともに、ソール部と地面との滑りをよくしてゴルフクラブヘッドをスムーズに振り抜くことができる。
【発明の効果】
【００１６】
本発明によれば、多数の透孔が形成されていることによって、多数の透孔相当分だけゴルフクラブヘッドの重量を同体積の従来の無透孔金属板からなる中空殻体構造のウッド形ゴルフクラブヘッドと比較して大幅に軽減できる。このため、ゴルフクラブヘッドの体積を出来るだけ大きくすること、即ち、ゴルフクラブヘッドを大型にしても、その重量が大きくならない。その結果、慣性モーメントおよび重心の深さを大きくし、ボールの飛距離を大きくするとともに、コントロール性をよくすることができる。
また、重量の重い重心位置設定用ウエイトを取付けても、ゴルフクラブヘッドの全体重量を従来の無透孔金属板からなる中空殻体構造のウッド形ゴルフクラブヘッドよりも軽く抑えて、使用性を向上させることができる。
さらに、重量の重い重心位置設定用ウエイトの取付けによって重心位置を使用者のマッチングポイントまたはその近傍に設定することができることにより、ゴルフクラブヘッド本来の重心位置から重心位置設定用ウエイトの取付位置までの距離を短縮できるので、寸法上の制約を受けることなく、使用者の個性に適した重心位置の設定を容易に行うことができる。
【発明を実施するための最良の形態】
【００１７】
以下、本発明の実施形態を図面に基づいて説明する。
図１は本発明に係るウッド形ゴルフクラブヘッドの正面図、図２は右側面図である。これらの図において、ゴルフクラブヘッド本体１は、ドライバーのゴルフクラブヘッドであって、金属製、たとえば、ステンレス系合金またはチタニウム系合金により形成されている。このゴルフクラブヘッド本体１は、フェース部４と、ソール部５、バックサイド部６およびシャフト７の取付部であるホーゼル部８を有するクラウン部９などを備えており、これらは各別に設けられて互いに隣り合う境界部１１を溶接によって互いに接合している。
【００１８】
一方、前記フェース部４、ソール部５、バックサイド部６およびクラウン部９が多数の透孔１２，１２…を形成した、たとえばパンチングメタルと称される網状金属１３によって構成されている。なお、本実施形態では、菱形の多数の透孔１２，１２…を形成してある。また、たとえば、クラウン部９の内面におけるバックサイド部６寄りに、たとえば、重さ４０ｇｆ（０．３９２Ｎ）の重量の重い重心位置設定用ウエイト１０を溶着してある。なお、フェース部４、ソール部５、バックサイド部６およびシャフト７の取付部であるホーゼル部８を有するクラウン部９を各別に設けて、これらの隣り合う境界部１１を溶接によって互いに接合するようにしてあることで、重心位置設定用ウエイト１０を所望の位置に容易に取付けることができる。
【００１９】
このような構成であれば、ゴルフクラブヘッド本体１の体積が、図１４、図１５で説明した従来の無透孔金属板からなる中空殻体構造体２３の体積と同じであれば、多数の透孔１２，１２…が形成されていることによって、ゴルフクラブヘッド本体１の重量が大幅に軽減される。このため、ゴルフクラブヘッドの体積を出来るだけ大きくすることが可能であり、それにしたがってフェース部４のゴルフクラブヘッドのスイートスポットを出来るだけ大きくすることができ、非力な一般的ゴルファがゴルフクラブヘッドの芯を多少外してもゴルフボールを遠くに、かつ、左右への曲りが少ないウッド形ゴルフクラブヘッドを形成することができる。
【００２０】
前記のように、本発明に係るウッド形ゴルフクラブヘッドはその重量を大幅に軽減されることから、前記重量の重いウエイトを取付けても、ゴルフクラブヘッド本体１の全体重量を従来の無透孔金属板からなる中空殻体構造のウッド形ゴルフクラブヘッドと同等もしくはそれ未満に抑えて、使用性を向上させることができる。因みに、ドライバーのゴルフクラブヘッドの平均的な重さである重量１９５ｇｆ（１．９１１Ｎ）の従来の無透孔金属板からなる中空殻体構造体２３と同じ体積のゴルフクラブヘッド本体１を前記網状金属１３によって構成した場合、ゴルフクラブヘッド本体１の重量を４０ｇｆ（０．３９２Ｎ）軽くすることができる。
したがって、前記重さ４０ｇｆ（０．３９２Ｎ）の重量の重い重心位置設定用ウエイト１０を溶着しても、ゴルフクラブヘッド本体１の重量を従来の無透孔金属板からなる中空殻体構造のウッド形ゴルフクラブヘッドと同等に抑えられる。
【００２１】
このように、重量の重い重心位置設定用ウエイト１０の取付けによって重心位置を使用者のマッチングポイントまたはその近傍に設定することができることにより、ゴルフクラブヘッド本体１本来の重心位置から重心位置設定用ウエイト１０の取付位置までの距離を短縮できる。つまり、小さい移動量で重心位置を使用者のマッチングポイントまたはその近傍に設定することができる。したがって、寸法上の制約を受けることなく、使用者の個性に適した重心位置の設定を容易に行うことができる。
【００２２】
また、前記のようにゴルフクラブヘッド本体１を前記網状金属１３によって構成し、本体部３の重量を４０ｇｆ（０．３９２Ｎ）軽くしたゴルフクラブヘッド本体１に、重さ１５ｇｆ（０．１４７Ｎ）の軽量の重心位置設定用ウエイト１０を取付ける場合においては、４０ｇｆ（０．３９２Ｎ）−１５ｇｆ（０．１４７Ｎ）＝２５ｇｆ（０．２４５Ｎ）の余裕がある。したがって、ドライバーのゴルフクラブヘッドの平均的な重さである重量１９５ｇｆ（１．９１１Ｎ）の範囲内で網状金属１３によって構成されているゴルフクラブヘッド本体１の体積を大きくすることにより、慣性モーメントおよび重心の深さを大きくし、ボールの飛距離を大くするとともに、コントロール性をよくすることができる。
【００２３】
また、図３は本発明に係るウッド形コルフゴルフクラブヘッドの他の実施形態を示す正面図であり、図４はその右側面図である。この実施形態においてゴルフクラブヘッド本体１はソール部５とバックサイド部６とクラウン部９との部分を網状金属１３によって構成し、フェース部４は無透孔金属板１４によって構成しており、その他の構成は上記で説明した図１及び図２の実施形態と同様である。また、図５は本発明に係るウッド形コルフゴルフクラブヘッドの他の実施形態を示す正面図であり、図６はその右側面図である。この実施形態においてゴルフクラブヘッド本体１はバックサイド部６とクラウン部９との部分を網状金属１３によって構成し、フェース部４とソール部５は無透孔金属板１４によって構成しており、その他の構成は上記で説明した図１及び図２の実施形態と同様である。さらに、図７は本発明に係るウッド形コルフゴルフクラブヘッドの他の実施形態を示す正面図であり、図８はその右側面図である。この実施形態においてゴルフクラブヘッド本体１はソール部５及びバックサイド部６の一部分とクラウン部９の一部分との部分を網状金属１３によって構成し、フェース部４及びバックサイド部６の一部分とクラウン部９の一部分は無透孔金属板１４によって構成しており、その他の構成は上記で説明した図１及び図２の実施形態と同様である。
【００２４】
図３乃至図８に示した上記実施形態による構成であれば、ゴルフクラブヘッド本体１の一部を網状金属１３によって構成していることにより、全体重量の重量の軽減を図りながらも、必要箇所を従来の無透孔金属板１４によって構成していることによって、強度と耐久性を維持することができる。
【００２５】
さらに、図９は本発明に係るウッド形コルフゴルフクラブヘッドの他の実施形態を示す正面図であり、図９に示すように、フェース部４を、前記フェース部４におけるスイートスポット域及びその近傍に設定された無透孔金属板域１４Ａと、この無透孔金属板域１４Ａを取り囲んで連設された網状金属域１３Ａとの複合構造にした。その他の構成は上記で説明した図１及び図２の実施形態と同様である。図９に示した上記実施形態による構成であればゴルフクラブヘッド本体１の軽量化を維持しながら、無透孔金属板域１４Ａをスイートスポット域及びその近傍に設定して、スイートスポットの位置と大きさを明示してボールを正確にヒットすることができるとともに、網状金属域１３Ａの強弾性復帰力による反発作用で飛距離を稼ぐことも期待できる。
【００２６】
また、図１０は本発明に係るウッド形ゴルフクラブヘッドの他の実施形態を示す右側面図であり、図１０に示すように、ゴルフクラブヘッド本体１のソール部５を、前記ソール部５の地面との接地面及びその近傍に設定された無透孔金属板域１４Ａと、この無透孔金属板域１４Ａを取り囲んで連設された網状金属域１３Ａとの複合構造にした。その他の構成は上記で説明した図１及び図２の実施形態と同様である。図１０に示した上記実施形態による構成であれば土砂などの侵入を抑えるとともに、ソール部と地面との滑りをよくしてゴルフクラブヘッドをスムーズに振り抜くことができる。
【００２７】
また、図１１及び図１２に示すように、ゴルフクラブヘッド本体１のフェース部４、ソール部５、バックサイド部６およびシャフトの取付部であるホーゼル部を有するクラウン部９の多数の透孔を形成した網状金属の外表面に透明なプラスチックシートなどのシート材１５を被着させることで、水や土砂などが中空殻体構造のウッド形ゴルフクラブヘッド内部に侵入するのを防止する事ができるとともに、ソール部と地面との滑りをよくしてゴルフクラブヘッドをスムーズに振り抜くことができる。
【００２８】
なお、前記実施形態では、フェース部４、ソール部５、バックサイド部６およびクラウン部９などを、菱形の多数の透孔１２，１２…が形成されているパンチングメタルと称される網状金属１３によって構成して説明しているが、多数の透孔１２，１２…の形状は菱形のみに限定されるものではなく任意である。また、図１３に示すように、金属線を編んだ金網１３Ｃによって、フェース部４、ソール部５、バックサイド部６およびクラウン部９などを構成してもよい。
【図面の簡単な説明】
【００２９】
【図１】本発明に係るウッド形ゴルフクラブヘッドの実施形態を示す正面図である。
【図２】図１の右側面図である。
【図３】本発明に係るウッド形ゴルフクラブヘッドの他の実施形態を示す正面図である。
【図４】図３の右側面図である。
【図５】本発明に係るウッド形ゴルフクラブヘッドの他の実施形態を示す正面図である。
【図６】図５の右側面図である。
【図７】本発明に係るウッド形ゴルフクラブヘッドの他の実施形態を示す正面図である。
【図８】図７の右側面図である。
【図９】本発明に係るウッド形ゴルフクラブヘッドの他の実施形態を示す正面図である。
【図１０】本発明に係るウッド形ゴルフクラブヘッドの他の実施形態を示す右側面図である。
【図１１】請求項３に記載の発明に係るウッド形ゴルフクラブヘッドの実施形態を示す正面図である。
【図１２】図１１のＡ−Ａ’線部分におけるウッド形ゴルフクラブヘッドの一部分の要領端面図である。
【図１３】本発明に係るウッド形ゴルフクラブヘッドの他の実施形態を示す正面図である。
【図１４】従来例の断面図である。
【図１５】従来例の正面図である。
【符号の説明】
【００３０】
１  ゴルフクラブヘッド本体１
４  フェース部
５  ソール部
６  バックサイド部
７  シャフト
８  ホーゼル部
９  クラウン部
１１  境界部
１２  透孔
１３  網状金属
１３Ａ  網状金属域
１４  無透孔金属板
１４Ａ  無透孔金属域
１５  シート材
【図１】
2005230472.tif 000003
【図２】
2005230472.tif 000004
【図３】
2005230472.tif 000005
【図４】
2005230472.tif 000006
【図５】
2005230472.tif 000007
【図６】
2005230472.tif 000008
【図７】
2005230472.tif 000009
【図８】
2005230472.tif 000010
【図９】
2005230472.tif 000011
【図１０】
2005230472.tif 000012
【図１１】
2005230472.tif 000013
【図１２】
2005230472.tif 000014
【図１３】
2005230472.tif 000015
【図１４】
2005230472.tif 000016
【図１５】
2005230472.tif 000017